【手続補正書】
【提出日】平成15年6月26日(2003.6.26)
【手続補正１】
【補正対象書類名】明細書
【補正対象項目名】特許請求の範囲
【補正方法】変更
【補正の内容】
【特許請求の範囲】
【請求項１】
遊技媒体を貯留可能な受皿を備えた前面枠に、該前面枠を本体枠に対して回動自在に支持する蝶番装置と、該前面枠を閉止状態で維持可能な施錠装置と、を備える遊技機において、
前記前面枠は、
当該前面枠の上半部を構成する前面枠上部構成部材と、
当該前面枠の下半部を構成する前面枠下部構成部材と、
前記前面枠上部構成部材と前記前面枠下部構成部材とを突き合わせた状態で相互に結合する結合手段と、
を備え、
前記結合手段は、
前記前面枠裏面側の一方の側部に前記施錠装置を取り付けると共に、前記前面枠上部構成部材と前記前面枠下部構成部材とを上下に結合する第１結合部材と、前記前面枠裏面側の他方の側部に前記蝶番装置を取り付けると共に、前記前面枠上部構成部材と前記前面枠下部構成部材とを上下に結合する第２結合部材と、前記前面枠上部構成部材の裏面側にて、前記第１結合部材と前記第２結合部材とを相互に連結する第１連結部材と、
前記前面枠下部構成部材の前面側にて、前記第１結合部材と前記第２結合部材とを相互に連結する第２連結部材と、
を備え、
前記第１結合部材と前記第２結合部材とを前記前面枠上部構成部材と前記前面枠下部構成部材とに跨る状態で取り付け、
前記第１連結部材と前記第２連結部材とを前記第１結合部材と前記第２結合部材との間に架設し、
前記第１結合部材、前記第２結合部材、前記第１連結部材及び前記第２連結部材を互いの端部で連結させて矩形枠状に組むと共に、相互に電気伝導可能な状態で接続し、
前記第２連結部材は、前記受皿の奥側の起立面に取り付けられる起立面金属プレートにより構成され、
前記受皿には、当該受皿の底面を覆う断面略Ｌ字状の底面金属プレートが取り付けられ、
前記底面金属プレートの後端起立壁と前記起立面金属プレートとを当接させ、この当接部分の左右両端を止着部材を介して、前記第１結合部材と前記第２結合部材との各々に導通状態で接続したことを特徴とする遊技機。
【手続補正２】
【補正対象書類名】明細書
【補正対象項目名】０００１
【補正方法】変更
【補正の内容】
【０００１】
【発明の属する技術分野】
本発明は、遊技媒体を貯留可能な受皿を備えた前面枠に、該前面枠を本体枠に対して回動自在に支持する蝶番装置と、該前面枠を閉止状態で維持可能な施錠装置と、を備える遊技機に関する。


【手続補正３】
【補正対象書類名】明細書
【補正対象項目名】０００３
【補正方法】変更
【補正の内容】
【０００３】
【発明が解決しようとする課題】
ところが、上記従来の遊技機では、コイン等から放出される静電気が原因で遊技機内部の制御装置や電気部品に誤作動や故障等の不具合が生じることがあった。
また、前面枠のベース部材が大きな部材であり、しかも複雑な形状をしていたので、その成形に多大なコストがかかるといった問題点があった。そして、それが前面枠の製造コストを押し上げる要因となっていた。


【手続補正４】
【補正対象書類名】明細書
【補正対象項目名】０００４
【補正方法】変更
【補正の内容】
【０００４】
この発明は、上記実情に鑑みなされたもので、コイン等から放出される静電気を放電し易くして、遊技機内部の制御装置や電気部品に誤作動や故障等の不具合が生じることを低減可能であり、前面枠の製造コストを低減可能な遊技機を提供することを目的とする。


【手続補正５】
【補正対象書類名】明細書
【補正対象項目名】０００５
【補正方法】変更
【補正の内容】
【０００５】
【課題を解決するための手段】
上記課題を解決するため、
請求項１記載の発明は、遊技媒体を貯留可能な受皿を備えた前面枠に、該前面枠を本体枠に対して回動自在に支持する蝶番装置と、該前面枠を閉止状態で維持可能な施錠装置と、を備える遊技機において、
前記前面枠は、
当該前面枠の上半部を構成する前面枠上部構成部材と、
当該前面枠の下半部を構成する前面枠下部構成部材と、
前記前面枠上部構成部材と前記前面枠下部構成部材とを突き合わせた状態で相互に結合する結合手段と、
を備え、
前記結合手段は、
前記前面枠裏面側の一方の側部に前記施錠装置を取り付けると共に、前記前面枠上部構成部材と前記前面枠下部構成部材とを上下に結合する第１結合部材と、前記前面枠裏面側の他方の側部に前記蝶番装置を取り付けると共に、前記前面枠上部構成部材と前記前面枠下部構成部材とを上下に結合する第２結合部材と、前記前面枠上部構成部材の裏面側にて、前記第１結合部材と前記第２結合部材とを相互に連結する第１連結部材と、
前記前面枠下部構成部材の前面側にて、前記第１結合部材と前記第２結合部材とを相互に連結する第２連結部材と、
を備え、
前記第１結合部材と前記第２結合部材とを前記前面枠上部構成部材と前記前面枠下部構成部材とに跨る状態で取り付け、
前記第１連結部材と前記第２連結部材とを前記第１結合部材と前記第２結合部材との間に架設し、
前記第１結合部材、前記第２結合部材、前記第１連結部材及び前記第２連結部材を互いの端部で連結させて矩形枠状に組むと共に、相互に電気伝導可能な状態で接続し、
前記第２連結部材は、前記受皿の奥側の起立面に取り付けられる起立面金属プレートにより構成され、
前記受皿には、当該受皿の底面を覆う断面略Ｌ字状の底面金属プレートが取り付けられ、
前記底面金属プレートの後端起立壁と前記起立面金属プレートとを当接させ、この当接部分の左右両端を止着部材を介して、前記第１結合部材と前記第２結合部材との各々に導通状態で接続したことを特徴としている。
【手続補正６】
【補正対象書類名】明細書
【補正対象項目名】０００６
【補正方法】変更
【補正の内容】
【０００６】
この請求項１記載の発明によれば、第１結合部材、第２結合部材、第１連結部材及び第２連結部材を相互に電気伝導可能な状態で接続し、第２連結部材が受皿の奥側の起立面に取り付けられる起立面金属プレートにより構成され、受皿には、受皿の底面を覆う断面略Ｌ字状の底面金属プレートが取り付けられ、底面金属プレートの後端起立壁と起立面金属プレートとを当接させ、この当接部分の左右両端を止着部材を介して、第１結合部材と第２結合部材との各々に導通状態で接続するようにしたので、放電面積が増え、放電効果が上がる。従って、静電気が原因で遊技機内部の制御装置や電気部品に誤作動や故障等の不具合が生じることを低減することができる。
【手続補正７】
【補正対象書類名】明細書
【補正対象項目名】０００７
【補正方法】変更
【補正の内容】
【０００７】
また、第１連結部材と第２連結部材とを第１結合部材と第２結合部材との間に架設し、第１結合部材、第２結合部材、第１連結部材及び第２連結部材を互いの端部で連結させて矩形枠状に組まれているので、前面枠の周縁部における強度を高めることが可能となる。
【手続補正８】
【補正対象書類名】明細書
【補正対象項目名】０００８
【補正方法】変更
【補正の内容】
【０００８】
また、前面枠上部構成部材と、前面枠下部構成部材と、前面枠上部構成部材と前面枠下部構成部材とを突き合わせた状態で相互に結合する結合手段と、を備えて前面枠を構成するようにしたので、前面枠上部構成部材と前面枠下部構成部材とを別個に成形することが可能となり、前面枠上部構成部材と前面枠下部構成部材とを一体成形する場合に比べて、成形が容易となる。従って、前面枠の製造コストを低減することが可能となる。
【手続補正９】
【補正対象書類名】明細書
【補正対象項目名】０００９
【補正方法】変更
【補正の内容】
【０００９】
しかも、第１結合部材により、前面枠上部構成部材と前面枠下部構成部材とを前面枠裏面側の一方の側部にて上下に結合し、第２結合部材により、前面枠上部構成部材と前面枠下部構成部材とを前面枠裏面側の他方の側部にて上下に結合するようにしたので、前面枠上部構成部材と前面枠下部構成部材との結合部分にかかる負荷を第１結合部材と第２結合部材とで分担することができ、一つの結合部材で前面枠上部構成部材と前面枠下部構成部材とを相互に結合する場合に比べて、前面枠上部構成部材と前面枠下部構成部材との結合強度を向上させることが可能となる。
【手続補正１０】
【補正対象書類名】明細書
【補正対象項目名】００１０
【補正方法】変更
【補正の内容】
【００１０】
さらに、第１連結部材により、第１結合部材と第２結合部材とを前面枠上部構成部材の裏面側にて相互に連結し、第２連結部材により、第１結合部材と第２結合部材とを前面枠下部構成部材の前面側にて相互に連結するようにしたので、第１結合部材と第２結合部材との相対位置にズレが生じ難くなる。また、前面枠の剛性を高めることができ、前面枠の曲げに対する強度を高めることができる。
【手続補正１１】
【補正対象書類名】明細書
【補正対象項目名】００１１
【補正方法】変更
【補正の内容】
【００１１】
ここで、遊技機には、例えば、パチスロ遊技機或いはスロットマシーンなど、遊技媒体にコインを用いる遊技機が含まれる他、例えば、パチンコ遊技機、アレンジボール遊技機、雀球遊技機など、遊技媒体に球を用いる弾球遊技機も含まれる。
なお、前面枠上部構成部材と前面枠下部構成部材との結合に際しては、前面枠上部構成部材と前面枠下部構成部材とを相対的に動かないように結合することが望ましい。
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００３５
【補正方法】変更
【補正の内容】
【００３５】
【発明の効果】
請求項１記載の発明によれば、放電面積が増え、放電効果が上がる。従って、静電気が原因で遊技機内部の制御装置や電気部品に誤作動や故障等の不具合が生じることを低減することができる。
また、第１連結部材と第２連結部材とを第１結合部材と第２結合部材との間に架設し、第１結合部材、第２結合部材、第１連結部材及び第２連結部材を互いの端部で連結させて矩形枠状に組まれているので、前面枠の周縁部における強度を高めることが可能となる。
また、前面枠上部構成部材と前面枠下部構成部材とを別個に成形することが可能となり、前面枠上部構成部材と前面枠下部構成部材とを一体成形する場合に比べて、成形が容易となる。従って、前面枠の製造コストを低減することが可能となる。
しかも、前面枠上部構成部材と前面枠下部構成部材との結合部分にかかる負荷を第１結合部材と第２結合部材とで分担することができ、一つの結合部材で前面枠上部構成部材と前面枠下部構成部材とを相互に結合する場合と比べて、前面枠上部構成部材と前面枠下部構成部材との結合強度を向上させることが可能となる。
さらに、第１連結部材により、第１結合部材と第２結合部材とを前面枠上部構成部材の裏面側にて相互に連結し、第２連結部材により、第１結合部材と第２結合部材とを前面枠下部構成部材の前面側にて相互に連結するようにしたので、第１結合部材と第２結合部材との相対位置にズレが生じ難くなる。また、前面枠の剛性を高めることができ、前面枠の曲げに対する強度を高めることができる。
【手続補正１５】
【補正対象書類名】明細書
【補正対象項目名】００３６
【補正方法】削除
【補正の内容】
【手続補正１６】
【補正対象書類名】明細書
【補正対象項目名】符号の説明
【補正方法】変更
【補正の内容】
【符号の説明】
１    本体枠
２    前面枠
４    表示窓部（リール表示窓部）
２３    受皿
３０    蝶番装置
３１    取付板（第２結合部材、結合手段）
３４    上部金属プレート（第１連結部材、結合手段）
４０    施錠装置
４１    取付板（第１結合部材、結合手段）
５１    起立面金属プレート（第２連結部材、結合手段）
５２    底面金属プレート
５２ａ    後端起立壁
５３    止着部材
６０Ａ    上部ベース部材（前面枠上部構成部材）
６０Ｂ  下部ベース部材（前面枠下部構成部材）
１００  パチスロ遊技機（遊技機）